【事件の表示】
　特願２００５−　５８４１９「画像撮影装置及び発光制御方法、並びに携帯電話端末」拒絶査定不服審判事件〔平成１８年　９月１４日出願公開、特開２００６−２４３３１０、請求項の数（１１）〕について、次のとおり審決する。
【結　論】
　原査定を取り消す。
　本願の発明は、特許すべきものとする。
【理　由】
１．手続の経緯
　本願は、平成１７年３月３日の出願であって、平成２２年７月２０日付けで拒絶理由が通知され、同年９月２１日付けで手続補正がなされたが、同年１１月５日付けで拒絶査定がなされた。
　本件は、前記拒絶査定を不服として平成２３年２月７日に請求された拒絶査定不服審判事件であり、当該請求と同時に手続補正がなされた。
　その後、前置報告書の内容について審判請求人の意見を求めるために、平成２３年８月２３日付けで審尋がなされ、同年１０月２６日付けで当該審尋に対する回答書が提出された。
　
　
　
２．本件補正について
２−１．本件補正
　平成２３年２月７日付け手続補正（以下「本件補正」という）により、平成２２年９月２１日付け手続補正書の特許請求の請求項１乃至１１は、次のように補正された。
　
「【請求項１】
　画像を撮影するための撮像センサーを有するカメラモジュールと、
　高輝度ＬＥＤと当該高輝度ＬＥＤの発光部前面に配される照射角調整用の集光レンズと上記高輝度ＬＥＤの熱を放熱するための放熱板とを少なくとも備えたＬＥＤモジュールと、
　上記高輝度ＬＥＤに駆動電流を供給するためのＬＥＤドライバとを有し、　上記カメラモジュールは、撮影可能モードになっている時に、適正な撮影画像を得るため露光時間を含む撮影パラメータを設定し、撮影を実行する時に、上記撮像センサーの露光開始から露光終了までの露光期間に対応した発光トリガパルスを生成して上記ＬＥＤドライバへ出力し、
　上記ＬＥＤドライバは、上記カメラモジュールが生成した発光トリガパルスに応じて、上記高輝度ＬＥＤを上記露光期間に対応した発光時間だけ発光駆動させる画像撮影装置。
　　【請求項２】
　上記ＬＥＤドライバを通じて上記高輝度ＬＥＤの点灯を制御する制御部と、
　外光の明るさを検出する明るさ検出部とを有し、
　上記カメラモジュールは、上記撮影可能モードになっている時に、上記明るさ検出部が検出した明るさに基づいて前記撮影パラメータを設定し、
　上記制御部は、上記撮影可能モードにおいて上記明るさ検出部にて上記外光の明るさが所定の閾値より暗いことが検出されている場合には、上記高輝度ＬＥＤを弱点灯させるよう上記ＬＥＤドライバを制御し、上記カメラモジュールにて撮影が実行される場合には、
上記高輝度ＬＥＤを強点灯させるよう上記ＬＥＤドライバを制御する請求項１記載の画像撮影装置。
　　【請求項３】
　上記ＬＥＤドライバを通じて上記高輝度ＬＥＤの点灯を制御する制御部と、
　外光の明るさを検出する明るさ検出部とを有し、
　上記カメラモジュールは、自動焦点合わせを行うためのオートフォーカス部を備え、
　上記制御部は、上記撮影可能モードにおいて上記オートフォーカス部を動作させる際に、上記明るさ検出部にて上記外光の明るさが所定の閾値より暗いことが検出されている場合には、上記高輝度ＬＥＤを弱点灯させるよう上記ＬＥＤドライバを制御し、撮影を実行する場合には、上記高輝度ＬＥＤを強点灯させるよう上記ＬＥＤドライバを制御する請求項１記載の画像撮影装置。
　　【請求項４】
　上記明るさ検出部において上記外光の明るさが所定の閾値よりも明るいことが検出されている場合、上記制御部は、上記高輝度ＬＥＤを発光させないよう上記ＬＥＤドライバを制御する請求項２又は請求項３記載の画像撮影装置。
　　【請求項５】
　操作者からの指示入力状態として、第一の操作指示入力状態と第二の操作指示入力状態の少なくとも二つの操作指示入力状態を取り得る操作部を有し、
　上記カメラモジュールは、上記操作部が第一の操作指示入力状態である時に上記撮影可能モードとなり、上記操作部が第二の操作指示入力状態になった時に上記撮影を実行する請求項１乃至請求項４のうち何れか一項に記載の画像撮影装置。
　　【請求項６】
　画像を撮影するための撮像センサーを有するカメラモジュールが撮影可能モードになるステップと、
　上記撮影可能モードになっている時、上記カメラモジュールが、適正な撮影画像を得るため露光時間を含む撮影パラメータを設定するステップと、
　画像撮影を実行する時、上記カメラモジュールが、上記撮像センサーの露光開始から露光終了までの露光期間に対応した発光トリガパルスを生成して上記ＬＥＤドライバへ出力するステップと、
　高輝度ＬＥＤと当該高輝度ＬＥＤの発光部前面に配される照射角調整用の集光レンズと上記高輝度ＬＥＤの熱を放熱するための放熱板とを少なくとも備えたＬＥＤモジュールの上記高輝度ＬＥＤを、上記カメラモジュールが生成した発光トリガパルスに応じて、ＬＥＤドライが、上記露光期間に対応した発光時間だけ発光駆動させるステップとを有する発光制御方法。
　　【請求項７】
　明るさ検出部が外光の明るさを検出するステップと、
　上記撮影可能モードになっている時に上記明るさ検出部において外光の明るさが所定の閾値より暗いことが検出された場合、上記ＬＥＤドライバを通じて上記高輝度ＬＥＤを点灯制御する制御部が、上記高輝度ＬＥＤを弱点灯させるよう上記ＬＥＤドライバを制御し、撮影を実行する時には、上記高輝度ＬＥＤを強点灯させるよう上記ＬＥＤドライバを制御するステップとを有し、
　上記カメラモジュールは、上記撮影パラメータを設定するステップにおいて、上記撮影可能モードになっている時に上記明るさ検出部が検出した明るさに基づいて前記撮影パラメータを設定する請求項６記載の発光制御方法。
　　【請求項８】
　明るさ検出部が外光の明るさを検出するステップと、
　上記カメラモジュールが備えている自動焦点合わせを行うためのオートフォーカス部を上記撮影可能モードにおいて動作させる際に、上記明るさ検出部において外光の明るさが所定の閾値より暗いことが検出された場合、上記ＬＥＤドライバを通じて上記高輝度ＬＥＤを点灯制御する制御部が、上記高輝度ＬＥＤを弱点灯させるよう上記ＬＥＤドライバを制御し、撮影を実行する時には、上記高輝度ＬＥＤを強点灯させるよう上記ＬＥＤドライバを制御するステップと
　を有する請求項６記載の発光制御方法。
　　【請求項９】
　上記明るさ検出部において上記外光の明るさが所定の閾値よりも明るいことが検出されている場合、上記制御部が、上記高輝度ＬＥＤを発光させないよう上記ＬＥＤドライバを制御するステップを有する請求項７又は請求項８記載の発光制御方法。
　　【請求項１０】
　操作者からの指示入力状態として第一の操作指示入力状態と第二の操作指示入力状態の少なくとも二つの操作指示入力状態を取り得る操作部からの入力を基に、上記カメラモジュールが、上記操作部が第一の操作指示入力状態である時に上記撮影可能モードとなり、上記操作部が第二の操作指示入力状態になった時に上記撮影を実行するステップを有する請求項６乃至請求項９のうち何れか一項に記載の発光制御方法。
　　【請求項１１】
　少なくとも通話のための通信を行う無線通信部と、
　操作者からの指示入力を取り込むための操作部と、
　画像を撮影するための撮像センサーを有するカメラモジュールと、
　高輝度ＬＥＤと当該高輝度ＬＥＤの発光部前面に配される照射角調整用の集光レンズと上記高輝度ＬＥＤの熱を放熱するための放熱板とを少なくとも備えたＬＥＤモジュールと、
　上記高輝度ＬＥＤに駆動電流を供給するためのＬＥＤドライバとを有し、
　上記カメラモジュールは、撮影可能モードになっている時に、適正な撮影画像を得るため露光時間を含む撮影パラメータを設定し、撮影を実行する時に、上記撮像センサーの露光開始から露光終了までの露光期間に対応した発光トリガパルスを生成して上記ＬＥＤドライバへ出力し、
　上記ＬＥＤドライバは、上記カメラモジュールが生成した発光トリガパルスに応じて、上記高輝度ＬＥＤを上記露光期間に対応した発光時間だけ発光駆動させる携帯電話端末。」
　
　上記本件補正は、本件補正前の特許請求の範囲の請求項１に記載した発明を特定するための事項である「カメラモジュール」について、本願明細書の段落【００３３】の記載に基づいて、「撮像センサーを有する」ものであると限定的に減縮し、同様に「発光トリガパルス」について、本願明細書の段落【００２４】、【００３３】、【００３４】、【００３７】乃至【００４０】の記載に基づいて、「撮像センサーの露光開始から露光終了までの露光期間に対応」するものであると限定的に減縮することを含むものである。なお、本件補正前の「上記露光時間」を「上記露光期間」と変更したことは、上記減縮に伴って表現を整合させるためにしたものであると認められる。
　してみれば、本件補正は、平成１８年法律第５５号改正附則第３条第１項によりなお従前の例によるとされる同法による改正前の特許法（以下「平成１８年改正前特許法」という）第１７条の２第４項第２号に規定する特許請求の範囲の減縮を目的とする補正に該当する。
　
　そこで、本件補正後の特許請求の範囲の請求項１に記載した発明（以下「本願補正発明」という）が特許出願の際独立して特許を受けることができるものであるか、すなわち平成１８年改正前特許法第１７条の２第５項において準用する同法第１２６条第５項の規定に適合するかについて以下に検討する。
　
　
２−２．引用発明
２−２−１．刊行物の記載事項
　本願の出願前に頒布され、原査定の拒絶の理由に引用された刊行物である、特開２００５−０３１２９０号公報（以下「引用例１」という）には、以下の技術事項が記載されている（後述の「２−２−２．引用発明の認定」において引用した記載に下線を付した）。
　
記載事項ａ
「【００１５】
撮影レンズ１２にはズームレンズが適用され、
撮影レンズ１２の後方にＣＣＤイメージセンサ
が配置されている
シャッターボタン１８は２段階式に構成され、シャッターボタン１８を軽く押して止める「半押し」の状態（すなわち、いわゆるＳ１の状態）でコントラストＡＦ（ＡＦ）及び自動露出制御（ＡＥ）が作動してＡＦとＡＥをロックし、「半押し」から更に押し込む「全押し」の状態（すなわち、いわゆるＳ２の状態）で撮影が実行される
　
記載事項ｂ
「【００４３】
この
ストロボ光源部１００は、反射傘１０２と、ＬＥＤ群１０４（ＬＥＤ１０４Ｒ〜１０６Ｇ）と、拡散板１０７とから構成されている
　
記載事項ｃ
「【００４５】
この
ストロボ装置は
オペアンプ１１６、１１８、１２０、コントローラ１２２、調光回路１２４
が設けられている
　
記載事項ｄ
「【００５２】
シャッターボタンが半押し（Ｓ１）又は全押し（Ｓ２）されると、コントローラ１２２はＣＰＵ６４からガイドナンバーなどのストロボ発光量を決定するための情報を取り込む。その後、
ＣＰＵ６４は発光信号をコントローラ１２２に出力し、コントローラ１２２はこの発光信号により、所定の発光レベルを示す制御信号をそれぞれオペアンプ１１６、１１８、１２０の正入力に出力する
オペアンプ１１６、１１８、１２０の負入力には、各ＬＥＤ群（１０４Ｒ〜１０６Ｂの群、１０４Ｇ〜１０６Ｒの群、１０４Ｂ〜１０６Ｇの群）に流れる電流値に対応した信号が加えられており、オペアンプ１１６、１１８、１２０は、所定の発光レベルに対応した定電流が各ＬＥＤ群に流れるように制御する
【００５３】
これにより、ＬＥＤ群１０４からは、所要の光量のＡＦ補助光並びに撮影補助光が発光される
【００５４】
ＬＥＤ群１０４からＡＦ補助光、撮影補助光が発光されると、調光回路１２４は、調光センサ１７を介して発光量を検知する
そして、この検知した発光量が発光量調整用の基準値と一致すると、発光を停止させるために発光停止信号をコントローラ１２２に出力する
コントローラ１２２は、調光回路１２４から発光停止信号が入力されると、ＬＥＤ群１０４の発光を停止させる制御信号をオペアンプ１１６、１１８、１２０に出力する
これにより、ＬＥＤ群１０４に流れる電流が遮断され、ＬＥＤ群１０４の発光が停止する
　
記載事項ｅ
「【００５６】
まず、
シャッターボタン１８が半押し（Ｓ１）されると、ＣＰＵ６４は、ＡＥ制御及びＡＦ制御を行い
【００５７】
ここで、ＡＥ制御は、Ｒ、Ｇ、Ｂ信号を取り込み、これらのＲ、Ｇ、Ｂ信号を積算した積算値に基づいて被写体輝度（撮影ＥＶ値）を求め、この撮影ＥＶ値に基づいて撮影時の絞り値とシャッタスピードを決定する
　
記載事項ｆ
「
　　　　　　　　　　　　　　　　　　　　　　　　　　　　　　　　　」
　
記載事項ｇ
「
　　　　　　　　　　　　　　　　　　　　　　　　　　　　　　　　　」
　
２−２−２．引用発明の認定
　上記各記載事項を含む引用例１の全記載から、引用例１には、
「　撮影レンズ１２の後方にＣＣＤイメージセンサが配置され、
　ストロボ光源部１００は、反射傘１０２と、ＬＥＤ群１０４（ＬＥＤ１０４Ｒ〜１０６Ｇ）と、拡散板１０７とから構成され、
　ストロボ装置には、オペアンプ１１６、１１８、１２０、コントローラ１２２、調光回路１２４設けられており、
　ＣＰＵ６４は発光信号をコントローラ１２２に出力し、コントローラ１２２はこの発光信号により、所定の発光レベルを示す制御信号をそれぞれオペアンプ１１６、１１８、１２０の正入力に出力し、オペアンプ１１６、１１８、１２０の負入力には、各ＬＥＤ群（１０４Ｒ〜１０６Ｂの群、１０４Ｇ〜１０６Ｒの群、１０４Ｂ〜１０６Ｇの群）に流れる電流値に対応した信号が加えられており、オペアンプ１１６、１１８、１２０は、所定の発光レベルに対応した定電流が各ＬＥＤ群に流れるように制御することにより、ＬＥＤ群１０４からは、所要の光量のＡＦ補助光並びに撮影補助光が発光され、
　シャッターボタン１８は２段階式に構成され、シャッターボタン１８を軽く押して止める「半押し」の状態（すなわち、いわゆるＳ１の状態）でコントラストＡＦ（ＡＦ）及び自動露出制御（ＡＥ）が作動してＡＦとＡＥをロックし、「半押し」から更に押し込む「全押し」の状態（すなわち、いわゆるＳ２の状態）で撮影が実行され、
　シャッターボタン１８が半押し（Ｓ１）されると、ＣＰＵ６４は、ＡＥ制御及びＡＦ制御を行い、ＡＥ制御は、Ｒ、Ｇ、Ｂ信号を取り込み、これらのＲ、Ｇ、Ｂ信号を積算した積算値に基づいて被写体輝度（撮影ＥＶ値）を求め、この撮影ＥＶ値に基づいて撮影時の絞り値とシャッタスピードを決定するものであり、
　ＬＥＤ群１０４からＡＦ補助光、撮影補助光が発光されると、調光回路１２４は、調光センサ１７を介して発光量を検知し、この検知した発光量が発光量調整用の基準値と一致すると、発光を停止させるために発光停止信号をコントローラ１２２に出力し、コントローラ１２２は、調光回路１２４から発光停止信号が入力されると、ＬＥＤ群１０４の発光を停止させる制御信号をオペアンプ１１６、１１８、１２０に出力し、これにより、ＬＥＤ群１０４に流れる電流が遮断され、ＬＥＤ群１０４の発光が停止する、
　カメラ。」
（以下「引用発明」という）が記載されていると認められる。
　
　
２−３．対比
　本願補正発明と引用発明とを対比する。
　ここで、便宜上、本願発明を以下のように分節する。
「（Ａ）画像を撮影するための撮像センサーを有するカメラモジュールと、
　（Ｂ）高輝度ＬＥＤと当該高輝度ＬＥＤの発光部前面に配される照射角調整用の集光レンズと上記高輝度ＬＥＤの熱を放熱するための放熱板とを少なくとも備えたＬＥＤモジュールと、
　（Ｃ）上記高輝度ＬＥＤに駆動電流を供給するためのＬＥＤドライバとを有し、
　（Ｄ）上記カメラモジュールは、撮影可能モードになっている時に、適正な撮影画像を得るため露光時間を含む撮影パラメータを設定し、撮影を実行する時に、上記撮像センサーの露光開始から露光終了までの露光期間に対応した発光トリガパルスを生成して上記ＬＥＤドライバへ出力し、
　（Ｅ）上記ＬＥＤドライバは、上記カメラモジュールが生成した発光トリガパルスに応じて、上記高輝度ＬＥＤを上記露光期間に対応した発光時間だけ発光駆動させる
　（Ｆ）画像撮影装置。」
　
（Ａ）について
　引用発明の「ＣＣＤイメージセンサ」は、本願補正発明の「画像を撮影するための撮像センサー」に相当する。
　
（Ｂ）について
　引用発明の「ＬＥＤ（群）」と本願補正発明の「高輝度ＬＥＤ」は、「ＬＥＤ」である点で一致する。
　
（Ｃ）について
　引用発明の「コントローラ」は「所定の発光レベルを示す制御信号をそれぞれオペアンプ１１６、１１８、１２０の正入力に出力し、オペアンプ１１６、１１８、１２０の負入力には、各ＬＥＤ群（１０４Ｒ〜１０６Ｂの群、１０４Ｇ〜１０６Ｒの群、１０４Ｂ〜１０６Ｇの群）に流れる電流値に対応した信号が加えられており、オペアンプ１１６、１１８、１２０は、所定の発光レベルに対応した定電流が各ＬＥＤ群に流れるように制御する」ものであるから、引用発明の「コントローラ」及び「オペアンプ」からなる構成は、本願補正発明の「上記高輝度ＬＥＤに駆動電流を供給するためのＬＥＤドライバ」と、「上記ＬＥＤに駆動電流を供給するためのＬＥＤドライバ」である点で一致する。
　
（Ｄ）について
　本願明細書の段落【００３３】及び【００６４】の記載を参酌すると、本願補正発明における「撮影可能モードとなっている時」とは、撮影指示に応じて画像の取り込みが可能な状態になっていることを意味していると認められる。一方、引用発明においては、シャッターボタンが半押しされた後に全押しされたことにより撮影が実行されるのであるから、シャッターボタンが半押しされている状態が、本願補正発明における「撮影可能モードになっている時」に相当する。
　また、引用発明の「ＡＥ制御」は、「被写体輝度（撮影ＥＶ値）を求め、この撮影ＥＶ値に基づいて」「シャッタスピードを決定する」ものであり、当該制御が、適正な明るさの撮影画像を得るためのシャッタスピード（露光時間）を決定するものであることは当業者の技術常識であるから、本願補正発明の「適正な撮影画像を得るため露光時間を含む撮影パラメータを設定し」ていることに相当する。
　これらの事項から、引用発明における、「シャッターボタン１８が半押し（Ｓ１）されると」「ＡＥ制御」「を行い」、「ＡＥ制御は」「被写体輝度（撮影ＥＶ値）を求め、この撮影ＥＶ値に基づいて撮影時の絞り値とシャッタスピードを決定する」ことは、本願補正発明の「撮影可能モードになっている時に、適正な撮影画像を得るため露光時間を含む撮影パラメータを設定し」ていることに相当する。
　
　また、引用発明の「ＬＥＤ群」は「撮影補助光」として発光されるものであるから、引用発明の「ＣＰＵ」が「発光信号をコントローラに出力」することは、本願補正発明の「撮影を実行する時に、上記撮像センサーの露光開始から露光終了までの露光期間に対応した発光トリガパルスを生成して上記ＬＥＤドライバへ出力」することと、「撮影を実行する時に、発光トリガパルスを生成して上記ＬＥＤドライバへ出力」する構成である点で一致する。
　
　なお、本願補正発明における「適正な撮影画像を得るため露光時間を含む撮影パラメータを設定し」について、請求人は回答書において、以下のように主張している。
「　すなわちより詳細にご説明いたしますと、
本願発明の場合
ＬＥＤをどの程度の時間だけ発光させれば、良好な明るさや色度となる画像を撮影できることになるかが判ることになり、そのような良好な画像が得られるだけの時間を、露光時間として決めるようにし
 　これに対しまして、引用文献１〜９に記載の技術の場合は、いずれの場合も、被写体輝度に応じて先ず先にシャッタースピードを決定し、その決定されたシャッタースピードに合わせてＬＥＤの発光時間を決めるようになっています。この場合、搭載されているＬＥＤが有する明るさ等の特性が考慮されずに、先ずシャッタースピードが決められてしまうことになりますので、そのシャッタースピードに合った時間だけＬＥＤを発光させたとしても、ＬＥＤの特性によっては露光過多になってしまったり逆に露光不足になってしまうことが有り得ます。一方、
本願発明の場合は、ＬＥＤの特性が考慮された露光時間（シャッタースピード）が設定されますので、ＬＥＤの特性に適合した良好な露光量が得られることになります
 　
本願発明の請求項１では、「・・・適正な撮影画像を得るため露光時間を含む撮影パラメータを設定し・・・」の記載部分が、前述しましたようなＬＥＤの特性に基づいた露光時間の決定を表した記載となっています
　しかしながら、露光時間（シャッタ時間）をどのように決定するかについて、上記のように、ＬＥＤを発光させた場合に良好な明るさ等になる画像を撮影できるだけの時間に基づいて決定することについては、本願の特許請求の範囲、明細書、及び、図面のいずれにも記載されていない。また、当業者にとっての技術常識であるともいえない。
　よって、回答書における上記主張は採用できない。
　
（Ｅ）について
　引用発明の「コントローラ」及び「オペアンプ」からなる構成により「ＬＥＤ群１０４からは、所要の光量のＡＦ補助光並びに撮影補助光が発光され」ることと、本願補正発明の「上記ＬＥＤドライバは、上記カメラモジュールが生成した発光トリガパルスに応じて、上記高輝度ＬＥＤを上記露光期間に対応した発光時間だけ発光駆動させる」こととは、「上記ＬＥＤドライバは、ＬＥＤを発光駆動させる」点で一致する。
　
（Ｆ）について
　引用発明の「カメラ」は、本願補正発明の「画像撮影装置」に相当する。
　
　したがって、本願補正発明と引用発明とは、
「　画像を撮影するための撮像センサーと、
　ＬＥＤと、
　上記ＬＥＤに駆動電流を供給するためのＬＥＤドライバとを有し、
　撮影可能モードになっている時に、適正な撮影画像を得るため露光時間を含む撮影パラメータを設定し、撮影を実行する時に、発光トリガパルスを生成して上記ＬＥＤドライバへ出力し、
　上記ＬＥＤドライバは、ＬＥＤを発光駆動させる、
　画像撮影装置。」
である点で一致し、以下の点で相違する。
　
（相違点１）
　本願補正発明が「カメラモジュール」を有しているのに対し、引用発明では当該構成を有していない点。
　
（相違点２）
　ＬＥＤが、本願補正発明では「高輝度ＬＥＤ」であるのに対し、引用発明ではそのような特定事項がない点。
　
（相違点３）
　本願補正発明が「ＬＥＤの発光部前面に配される照射角調整用の集光レンズ」を備えた「ＬＥＤモジュール」を有しているのに対し、引用発明では当該構成を有してない点。
　
（相違点４）
　本願補正発明が「ＬＥＤの熱を放熱するための放熱板」を備えた「ＬＥＤモジュール」を有しているのに対し、引用発明では当該構成を有してない点。
　
（相違点５）
　本願補正発明では、「カメラモジュール」が「撮像センサーの露光開始から露光終了までの露光期間に対応した発光トリガパルスを生成して」「ＬＥＤドライバへ出力」するものであり、「ＬＥＤドライバ」が上記「発光トリガパルスに応じて」「ＬＥＤ」を「露光期間に対応した発光時間だけ発光駆動させる」のに対し、引用発明では、「撮影補助光が発光されると、調光回路１２４は、調光センサ１７を介して発光量を検知し、この検知した発光量が発光量調整用の基準値と一致すると、発光を停止させるために発光停止信号をコントローラ１２２に出力し、コントローラ１２２は、調光回路１２４から発光停止信号が入力されると、ＬＥＤ群１０４の発光を停止させる制御信号をオペアンプ１１６、１１８、１２０に出力し、これにより、ＬＥＤ群１０４に流れる電流が遮断され、ＬＥＤ群１０４の発光が停止する」ものである（即ち、所謂“調光制御”により発光時間を制御するものである）点。
　
　
２−４．判断
２−４−１．相違点１について
　一般に“モジュール”とは、所定の機能を有する一体となった構成単位を意味するところ、本願明細書全体の記載及び当業者の技術常識から、本願補正発明の「カメラモジュール」は、カメラとしての機能を有する構成単位であるところの、レンズと撮像素子が一体となった構成を指すものと認められる。
　一方、ＣＣＤ等の撮像素子を用いたカメラにおいて、レンズと撮像素子を一体にモジュール化することは、例えば特開２００４−１２９４９５号（【００６３】、図９等参照）に記載されているように周知のものである。
　よって、引用発明において、「ＣＣＤイメージセンサ」と「撮影レンズ」を一体にモジュール化して“カメラモジュール”にすることは、当業者であれば容易に想到し得るものである。
　
２−４−２．相違点２について
　撮影補助用の照明に所定の輝度が求められることは、当業者の技術常識であると認められる。
　よって、引用発明において、「ＬＥＤ」を必要に応じて“高輝度”のものとすることは、当業者が適宜設計することである。
　
２−４−３．相違点３について
　本願明細書の記載（特に段落【００２７】の「上記集光用レンズ１２は、高輝度ＬＥＤ１１の発光部前面に配置され、当該高輝度ＬＥＤ１１の発光部から出射した光の照射角をカメラモジュールのレンズ系の画角に略々合わせるように光学設計がなされて作成されている。」）を参酌すると、本願補正発明の「照射角調整用の集光レンズ」とは、レンズ系の画角と照明光の照射角とを合致させるよう設計されたものを意味すると認められる。
　一方、例えば特開平０８−０１５７５５号公報（【０００４】、【０００７】、【０００８】、図１０参照）に記載されているように、レンズ系の画角と照明光の照射角とを合致させるために発光部前面に集光レンズを備えることは周知のものである。
　よって、引用発明において、「ＬＥＤ」の発光部前面に集光レンズを備える構成とすることは、当業者であれば容易に想到し得るものである。
　なお、「ＬＥＤ
モジュール
　
２−４−４．相違点４について
　ＬＥＤを照明に用いる装置において、該ＬＥＤで発生する熱を放熱するための放熱板を設けることは、周知の技術思想である（例えば、特開２００４−３１０６９５号公報の段落【００２４】乃至【００２８】、図３、５参照）。
　よって、引用発明において、「ＬＥＤ」で発生する熱を放熱するための放熱板を備える構成とすることは、当業者であれば容易に想到し得るものである。
　なお、「ＬＥＤ
モジュール
　
２−４−５．相違点５について
　本願の出願前に頒布され、原査定の拒絶の理由に引用された刊行物である、特開２００３−２４１２６６号公報（以下「引用例２」という）には、以下の技術事項が記載されている（後述の「引用例２に記載の発明」として引用した記載に下線を付した）。
　
記載事項ｈ
「【０００２】
【従来の技術】従来から、動きのある被写体を撮像する際に露光時間を１／１５秒といったスローシャッターにして撮像を実施して、被写体の一部又は全体がぶれて写るように撮像する手法が用いられている。
【０００３】また、露光中の被写体に対して補助光を照射することによって、被写体の光量不足を補うことが可能な携行容易な発光装置（フラッシュ等の閃光装置）が一般に用いられている。
【０００４】
【発明が解決しようとする課題】従来の発光装置を用いてスローシャッター撮像を実施した場合には、カメラにおける露光輝度（発光光度）と発光装置が発する発光輝度との関係は図９に示すような関係となる。したがって、スローシャッターによる露光中に発光装置が光を発光して被写体の撮像を実施すると、例えば図１０に示すような画像が得られる。
【０００５】図１０に示す画像は、動いている電車を背景にして人物を撮像した画像であるが、被写体全体の光量が不足しているために、露光中に補助光を発光している。この補助光の発光時間Ｔｆ０（通常は２００μ秒程度）は、露光時間Ｔｓ０（秒）と比較して極短時間であるために、人物とともに背景の電車もこの発光時間Ｔｓ０の間にほとんどが露光してしまう。したがって動いていた電車も停止して撮像されるので、スローシャッターで撮像したことによる動感の効果が全く表現されていない画像となってしまっている。」
　
記載事項ｉ
「【００１７】同図に示すように利用者は、カメラ１００を用いて動いている電車を背景に、人物のスローシャッター撮像を実施している。カメラ１００には、利用者が撮像の指示を入力するシャッターレリーズボタン１０２と、撮像時に利用者が被写体像を確認するファインダ１０３と、被写体像を撮像面に結像する撮影レンズ１１０と、撮像時に被写体に対して補助光を発光する発光装置１４６とが設けられている。なお、
発光装置１４６は、ＬＥＤ
を用いた発光装置であり
　
記載事項ｊ
「【００２８】前記自動露光制御は、Ｒ、Ｇ、Ｂ信号を取り込み、これらのＲ、Ｇ、Ｂ信号を積算した積算値に基づいて被写体輝度を求め、この
被写体輝度に基づいて撮像時の絞り値とシャッタースピードを決定する
　
記載事項ｋ
「【００４８】次に、利用者がシャッターレリーズボタン１０２を全押して撮像の指示を入力すると、カメラ１００では中央処理装置１３８の指示に基づいてシャッターが開いて撮像を開始する。
中央処理装置１３８は、システムコントローラ５２に対してシャッターが開いたタイミングに同期した発光情報（半導体発光手段の発光を指示する情報）を出力する
発光情報を取得したシステムコントローラ５２は、それぞれの半導体発光手段の制御回路（図３に示す例ではトランジスタ）に対して発光指示信号を出力する
これにより半導体発光素子３８から設定された輝度及び光量の補助光が発光される
　
記載事項ｌ
「【００５２】利用者がスローシャッター撮像を指示すると、時刻Ｔ０からシャッターが開き始めて、時刻Ｔ１から半導体発光手段が露光輝度に合わせて発光時間Ｔｆの間発光を開始する。なお、露光時間ＴｓはＴ０からＴ４までと定義し、発光時間ＴｆはＴ１からＴ３までと定義する。同図では、Ｔ０とＴ１及びＴ４とＴ５とは異なる時刻に設定してあるが、本発明はこの実施の形態に限定されるものではなく、Ｔ０とＴ１及びＴ４とＴ５とが同一の時刻であっても本発明の目的を達成することが可能となる。また、Ｔ０とＴ２、Ｔ１とＴ２、Ｔ３とＴ４、Ｔ３とＴ５とがそれぞれ同一の時刻であってもよい。いずれにせよ、シャッタースピードと同等の時間、補助光の発光を実施することが可能となっている。」
　
記載事項ｍ
「【００５４】同図に示すように撮像した画像は、人物は静止しているため静止して撮像されるが、背景の電車は動いているため（露光時間及び発光時間が１／１５秒である場合には、０．８〜１．５ｍ程）ぶれて撮像される。したがって、補助光を発光した撮像であっても、スローシャッターによる動感を画像に描写することが可能となる。」
　
記載事項ｎ
「
　　　　　　　　　　　　　　　　　　　　　　　　　　　　　　　　　」
　
記載事項ｏ
「
　　　　　　　　　　　　　　　　　　　　　　　　　　　　　　　　　」
　上記各記載事項及び図面を含む引用例２の全記載から、引用例２には、
「　発光装置付きカメラにてスローシャッタ撮像を実施するに際し、
　中央処理装置１３８は、システムコントローラ５２に対してシャッターが開いたタイミングに同期した発光情報（半導体発光手段の発光を指示する情報）を出力し、発光情報を取得したシステムコントローラ５２は、それぞれの半導体発光手段の制御回路に対して発光指示信号を出力し、これにより半導体発光素子３８から設定された輝度及び光量の補助光が撮像センサー露光開始から露光終了までの露光期間に対応して発光され、
　発光装置１４６は、ＬＥＤを用いた発光装置である、
　発光装置付きカメラ。」
（以下「引用例２に記載の発明」という）が記載されていると認められる。
　
　しかしながら、引用発明においては、所謂“調光制御”により発光期間を制御しており、当該制御により発光期間を決定することについて特段課題が存在するということは述べられておらず、よって引用例２に記載の発明における発光時間の制御の構成を採用することの積極的な動機付けは存在しない。
　また、引用例２に記載の発明では、スローシャッタを行う前提において動きのある背景をぶれさせて撮像するために、発光期間を露光期間に同期させることを目的とするものであり（記載事項ｈ、ｍ、ｏ参照）、そのような状況を想定していない引用発明において、引用例２に記載の発明における発光期間の決定手法を採用することは、通常行われないものであると認められる。
　また、引用例２に記載の発明では、「中央処理装置」が出力した「発光情報」を取得した「システムコントローラ」が「発光指示信号」を出力して「ＬＥＤ」を発光させているので、仮に、引用発明において引用例２に記載の発明の発光期間の制御手法を採用したとしても、発光を指示する信号は、引用発明の「ＣＰＵ」から「コントローラ」を介して出力されることとなり、「ＣＣＤイメージセンサ」の露光期間の制御とは別系統になると認められるが、本願補正発明では、「カメラモジュール」が「撮像センサーの露光開始から露光終了までの露光期間に対応した発光トリガパルス」を「ＬＥＤドライバ」へ出力しており、この点において依然として相違する。そして、本願補正発明では、当該構成とすることにより、本願明細書の段落【００４２】に記載されているように、発光期間と露光期間との間でずれが生じにくくなるものであると認められるところ、上記のように引用発明に引用例２に記載の発明の発光期間の制御手法を採用したとしても、そのような作用効果は奏しない。
　よって、引用発明において、相違点５に係る本願発明の構成とすることは、当業者といえども容易になし得るものではない。
　
　
２−５．本件補正の他の補正事項について
　本件補正ではさらに、請求項６及び１１についても補正されているが、その内容は請求項１における上記補正と実質的に等しいものである。　
　
　
２−６．本件補正についての結び
　以上のように、本件補正は、平成１８年改正前特許法第１７条の２第４項第２号に規定する特許請求の範囲の減縮を目的とするものであり、かつ、補正後における特許請求の範囲に記載されている事項により特定される発明は、当業者といえども、引用発明、引用例２に記載の発明、及び、周知技術に基いて、容易に発明をすることができたものではなく、また、特許出願の際独立して特許を受けることができない他の理由もない。
　
　よって、本件補正は、適法な補正である。
　
　
　
３．本願発明
　「２−６．本件補正についてのむすび」で述べたように、本件補正は適法になされた補正であるから、本願の請求項１乃至１１に係る発明は、本件補正により補正されたとおりのものである（「２−１．本件補正」参照）（以下「本願発明１乃至１１」という）。
　そして、「２−４．判断」で述べた通り、本願発明１は、当業者といえども、引用発明、引用例２に記載の発明、及び、周知技術に基いて容易に発明をすることができたものではなく、また、他に本願発明１を拒絶すべき理由も発見しない。
　本願発明６及び１１は実質的に本願発明１と同じ内容の発明であると認められるから、同様の理由により、当業者といえども、引用発明、引用例２に記載の発明、及び、周知技術に基いて容易に発明をすることができたものではなく、また、他に拒絶すべき理由も発見しない。
　本願発明１または６を引用する本願発明２乃至５、７乃至１０も、同様の理由により、当業者といえども、引用発明、引用例２に記載の発明、及び、周知技術に基いて容易に発明をすることができたものではなく、また、他に拒絶すべき理由も発見しない。
　
　よって、本願については、原査定の拒絶理由を検討してもその理由によって拒絶すべきものとすることはできない。
　また、他に本願を拒絶すべき理由を発見しない。
　よって、結論のとおり審決する。